(57)【要約】  【課題】光ディスクを再生する再生パワーを最適値に設定する。  【解決手段】ステップＳＴ１において、レーザノイズの影響を受ける程度に低い再生パワーＰｒ０が設定され、この再生パワーから開始して再生パワーを徐々に増加させ（ステップＳＴ５）、再生パワーで再生した場合の再生信号の品質を表す指標値（ジッタ値ＪＴ１，ＪＴ２，・・・）を測定し、再生パワーの増加に伴い指標値が減少から増加に転じ、且つ増加量が予め設定したしきい値以上になるか否かをステップＳＴ８，ＳＴ９にて判定し、指標値の増加量がしきい値より小の場合には、再生パワーをより増加させ、指標値の増加量がしきい値より大の場合には、再生パワーの増加を中止し、指標値が最小となる下限再生パワーＰｊmin を参照して、最適再生パワーを設定する。【選択図】図６
2009140580.tif 000002
【特許請求の範囲】
【請求項１】
光ピックアップから出射されるレーザ光を光ディスクに照射し、光ディスクに記録されている信号を再生する光ディスク装置の再生パワー設定方法において、
レーザノイズの影響を受ける程度に低い再生パワーから開始して再生パワーを徐々に増加させ、
上記再生パワーで再生した場合の再生信号の品質を表す指標値を測定し、
再生パワーの増加に伴い上記指標値が減少から増加に転じ、且つ増加量が予め設定したしきい値以上になるか否かを判定し、
上記指標値の上記増加量が上記しきい値より小の場合には、上記再生パワーをより増加させ、
上記指標値の上記増加量が上記しきい値より大の場合には、上記再生パワーの増加を中止し、上記指標値が最小となる再生パワーを参照して、最適再生パワーを設定する再生パワー設定方法。
【請求項２】
上記指標値が最小となる再生パワーより低く、最も近い上記再生パワーを下限再生パワーと設定し、
上記指標値が最小となる再生パワーより高いパワーで、且つ上記指標値の上記増加量が上記しきい値より大の場合の上記再生パワーを上限再生パワーとして設定し、
上記上限再生パワーおよび上記下限再生パワーの間に上記最適再生パワーを設定する請求項１記載の再生パワー設定方法。
【請求項３】
光ディスク上の同一のエリアを複数回トレースした後に上記指標値を測定する請求項１記載の再生パワー設定方法。
【請求項４】
光ピックアップから出射されるレーザ光を光ディスクに照射し、光ディスクに記録されている信号を再生する光ディスク装置の再生パワー設定方法において、
レーザノイズの影響を受ける程度に低い再生パワーから開始して再生パワーを徐々に増加させ、
上記再生パワーで再生した場合の再生信号の品質を表す指標値を測定し、
再生パワーの増加に伴う上記指標値の変化量が予め設定したしきい値以上になるか否かを判定し、
上記指標値の上記変化量が上記しきい値より大の場合には、上記再生パワーをより増加させ、
上記指標値の上記変化量が上記しきい値より小の場合には、上記再生パワーの増加を中止し、上記指標値の上記変化量が上記しきい値より小となる再生パワーに基づいて、最適再生パワーを設定する再生パワー設定方法。
【請求項５】
上記変化量が上記しきい値より小となる場合に、上記変化量を生じさせる二つの再生パワーの平均値に基づいて、最適再生パワーを設定する請求項４記載の再生パワー設定方法。
【請求項６】
上記指標値が光ディスクから再生されたＲＦ信号のジッタである請求項１または４記載の再生パワー設定方法。
【請求項７】
上記指標値が光ディスクから再生されたウォブル信号のジッタである請求項１または４記載の再生パワー設定方法。
【請求項８】
光ピックアップから出射されるレーザ光を光ディスクに照射し、光ディスクに記録されている信号を再生する光ディスク装置において、
上記光ピックアップの再生パワーを設定するための設定情報を記憶する不揮発性メモリと、
上記不揮発性メモリから読み出された上記設定情報に対応して上記光ピックアップの再生パワーを設定するパワー制御部と、
装着された光ディスクが単層光ディスクか、多層光ディスクかを判別するディスク判別部と、
上記ディスク判別部からの判別信号に応じて上記不揮発性メモリから装着された光ディスクに対応する上記再生パワーの設定情報を読み出し、読み出した上記設定情報を上記パワー制御部に与える制御部とを備え、
単層光ディスクの再生パワーを設定するための設定情報は、
レーザノイズの影響を受ける程度に低い再生パワーから開始して再生パワーを徐々に増加させ、
上記再生パワーで再生した場合の再生信号の品質を表す指標値を測定し、
再生パワーの増加に伴い上記指標値が減少から増加に転じ、且つ増加量が予め設定したしきい値以上になるか否かを判定し、
上記指標値の上記増加量が上記しきい値より小の場合には、上記再生パワーをより増加させ、
上記指標値の上記増加量が上記しきい値より大の場合には、上記再生パワーの増加を中止し、上記指標値が最小となる再生パワーを参照して、最適再生パワーを設定する再生パワー設定方法によって生成される光ディスク装置。
【請求項９】
光ピックアップから出射されるレーザ光を光ディスクに照射し、光ディスクに記録されている信号を再生する光ディスク装置において、
上記光ピックアップの再生パワーを設定するための設定情報を記憶する不揮発性メモリと、
上記不揮発性メモリから読み出された上記設定情報に対応して上記光ピックアップの再生パワーを設定するパワー制御部と、
装着された光ディスクが単層光ディスクか、多層光ディスクかを判別するディスク判別部と、
上記ディスク判別部からの判別信号に応じて上記不揮発性メモリから装着された光ディスクに対応する上記再生パワーの設定情報を読み出し、読み出した上記設定情報を上記パワー制御部に与える制御部とを備え、
単層光ディスクの再生パワーを設定するための設定情報は、
レーザノイズの影響を受ける程度に低い再生パワーから開始して再生パワーを徐々に増加させ、
上記再生パワーで再生した場合の再生信号の品質を表す指標値を測定し、
再生パワーの増加に伴う上記指標値の変化量が予め設定したしきい値以上になるか否かを判定し、
上記指標値の上記変化量が上記しきい値より大の場合には、上記再生パワーをより増加させ、
上記指標値の上記変化量が上記しきい値より小の場合には、上記再生パワーの増加を中止し、上記指標値の上記変化量が上記しきい値より小となる再生パワーに基づいて、最適再生パワーを設定する再生パワー設定方法によって生成される光ディスク装置。
【発明の詳細な説明】
【技術分野】
【０００１】
この発明は、高密度光ディスク例えばブルーレイディスクに適用可能な光ディスク装置の再生パワー設定方法および光ディスク装置に関する。
【背景技術】
【０００２】
光ディスクの高密度記録は、例えば光ピックアップで使用されるレーザ光の短波長化と、対物レンズの開口数ＮＡ（Numerical Aperture）を大きくし、集光スポットのサイズを小さくすることで実現できる。例えば、ＣＤ（Compact Disc）は、レーザ光の波長が７８０ｎｍ、開口数ＮＡが０．４５であり、６５０ＭＢ（メガバイト）の記録容量を有する。また、ＤＶＤ−ＲＯＭ（Digital Versatile Disc-ROM）は、レーザ光の波長が６５０ｎｍ、開口数が０．６とされ、４．７ＧＢ（ギガバイト）の記録容量を有する。
【０００３】
さらに、次世代の高密度記録光ディスク例えばブルーレイディスクは、レーザ光の波長が４５０ｎｍ以下とされ、ＮＡが０．７８以上とされ、これにより単層で２２ＧＢ以上の大容量化が可能となる。高密度記録光ディスクは、ディスクの信号読み取り面側に光透過膜いわゆるカバー層と称する光透過性の保護膜が形成される。カバー層は、例えば１００μｍ（０．１ｍｍ）の厚みを有する。
【０００４】
図１０は、この発明を適用できる光ディスクの一例である２層ブルーレイディスクを模式的に示す。この光ディスクは、基板１０１の一主面上に情報記録層（Ｌ０層）、中間層１０２、情報記録層（Ｌ１層）、カバー層１０３が順次積層された構成とされる。光ディスクは、中心部にセンターホール（図示せず）が開口された略円盤形状とされる。光ディスクは、例えば、ディスク径１２０ｍｍ，センターホール径１５ｍｍ，ディスク厚み１．２ｍｍ，基板厚み１．１ｍｍとされる。
【０００５】
基板１０１上に、Ｌ０層、中間層１０２、Ｌ１層、カバー層１０３が順次積層された構成を有する。基板１０１は、例えばポリカーボネート（ＰＣ）やシクロオレフィンポリマーなどの低吸収性の樹脂から構成される。情報記録層であるＬ０層およびＬ１層は、基板１０１の凹凸上に成膜された記録膜である。光ディスクが追記型である場合には、Ｌ０層およびＬ１層は、例えば、反射膜、無機記録材料（または有機色素材料）からなる記録層を順次積層して構成される。光ディスクが書き換え可能型である場合には、Ｌ０層およびＬ１層は、例えば、反射膜、下層誘電体層、相変化記録層、上層誘電体層を順次積層して構成される。
【０００６】
基板１０１に形成されたＬ０層上には、中間層１０２が形成される。中間層１０２上には、Ｌ１層が形成される。中間層１０２に形成されたＬ１層上には、カバー層１０３が形成される。カバー層１０３は、光ディスクの保護を目的として、形成される。情報信号の記録および再生は、例えば、対物レンズ１０４によりレーザ光がカバー層１０３を通じて情報記録層に集光されることによって行われる。
【０００７】
中間層１０２およびカバー層１０３として、ＵＶレジンを用いることができる。中間層１０２の厚さは、例えば２５μｍ、カバー層１０３の厚さは、例えば７５μｍであり、均一な厚みの層を形成することが求められる。
【０００８】
この光ディスクでは、カバー層１０３側から情報記録層（Ｌ０層またはＬ１層）にレーザ光を照射することによって、情報信号の記録および再生が行われる。例えば、４００ｎｍ〜４１０ｎｍの波長を有するレーザ光が０．８４〜０．８６の開口数を有する対物レンズ１０４により集光されカバー層１０３側から情報記録層に照射されることで、情報信号の記録および再生が行われる。単層光ディスクは、上述した情報記録層Ｌ０層のみを有する。
【０００９】
上述した２層あるいは３層以上の多層光ディスクに対して記録／再生を行う光ディスク装置においては、単層光ディスクに比して光ディスクに照射されるレーザ光の記録パワー（ライトパワーとも称される）をより高くすることが必要とされる。例えば単層光ディスクの場合では、６ｍＷ程度の記録パワーを必要とするのに対して、２層光ディスクの場合では、１５ｍＷ程度の記録パワーが必要とされる。また、単層光ディスクの場合で、０．３ｍＷ程度の再生パワー（リードパワーとも称される）であるのに対して、２層光ディスクの場合で、０．７ｍＷ程度の再生パワーが必要とされる。これらのパワーは、対物レンズから出射されるレーザ光のパワーである。
【００１０】
単層光ディスクおよび多層光ディスクの両方を使用できる光ディスク装置では、光ディスクの種類を判別して各光ディスクに対して適切な記録パワーおよび再生パワーをそれぞれ設定するようになされる。記録パワーは、各光ディスクの所定のエリアに対して試し記録することによって適切な値に設定される。再生パワーは、予め設定したパワーとなるようにＡＰＣ(Automatic Power Control) によって制御される。
【００１１】
上述したように、単層光ディスクが多層光ディスクより低い記録パワーで記録できるということは、再生パワーの影響を受けて記録済のデータがダメージを受けやすいことを意味する。したがって、単層光ディスクに対しては、再生パワーを低くすることが望まれる。一方、レーザ光のノイズ（ＲＩＮ:Relative Intensity Noise と呼ばれる）は、レーザパワーの発光量が多い程安定する特性を有している。
【００１２】
単層光ディスクと２層以上の多層光ディスクとを共通の半導体レーザから出射されるレーザ光によって記録および再生する記録再生装置の場合に、多層光ディスクの記録パワーと単層光ディスクの再生パワーとの間の差が大きくなり、レーザの最大出射パワーに対して、再生パワーが非常に低いものとなる。したがって、レーザノイズが問題とならない程度の出射パワーでもって、光ピックアップ内の半導体レーザを発光させ、一方では、対物レンズを介して出射されるレーザ光のパワーは、記録済の信号にダメージを与えないように低い値とする要請がある。記録パワーを大きくするために、結合効率を上げて最大出射パワーを高くすると、単層光ディスクの再生パワーは、レーザ出射パワーの低い不安定な部分で使用することになり、レーザノイズの影響を受ける。それを回避するために、レーザ出射パワーを上げたいが、そうすると、ＲＦ信号にダメージを与えてしまうという問題が生じる。光ピックアップ内のレーザの発光量を大きくして対物レンズの出射パワーを小さくするためには、光ピックアップの半導体レーザから対物レンズまでの結合効率を低くすれば良いが、このことは、多層光ディスクの高い記録パワーを発生する面では不利になる。
【００１３】
そこで、下記の特許文献１には、光ディスクの種類に応じて透過率を可変できる光学素子を使用することが提案されている。この特許文献１においては、単層光ディスクの場合では、再生時の照射パワーを０．４ｍＷとし、記録時の照射パワーを６ｍＷとし、２層光ディスクの場合では、再生時の照射パワーを０．８ｍＷとし、記録時の照射パワーを１２ｍＷと設定している。したがって、単層光ディスクの場合に、光ビーム減衰素子が光路中に挿入されるようになされている。
【００１４】
【特許文献１】特開２００３−２５７０７２号公報
【発明の開示】
【発明が解決しようとする課題】
【００１５】
しかしながら、特許文献１に記載のものは、光ビーム減衰素子を光路中に出し入れするための機構を設ける必要があり、光ピックアップの小型化、ローコスト化を妨げる問題があった。
【００１６】
したがって、この発明の目的は、光学的減衰素子の出し入れの機構が不要で、最適再生パワーを決定することができ、レーザノイズの問題並びに記録済のＲＦ信号に対するダメージがなく、記録パワーも確保できる光ディスク装置の再生パワー設定方法および光ディスク装置を提供することにある。
【課題を解決するための手段】
【００１７】
上述した課題を解決するために、この発明は、光ピックアップから出射されるレーザ光を光ディスクに照射し、光ディスクに記録されている信号を再生する光ディスク装置の再生パワー設定方法において、
レーザノイズの影響を受ける程度に低い再生パワーから開始して再生パワーを徐々に増加させ、
再生パワーで再生した場合の再生信号の品質を表す指標値を測定し、
再生パワーの増加に伴い指標値が減少から増加に転じ、且つ増加量が予め設定したしきい値以上になるか否かを判定し、
指標値の増加量がしきい値より小の場合には、再生パワーをより増加させ、
指標値の増加量がしきい値より大の場合には、再生パワーの増加を中止し、指標値が最小となる再生パワーを参照して、最適再生パワーを設定する再生パワー設定方法である。
【００１８】
この発明は、指標値が最小となる再生パワーより低く、最も近い再生パワーを下限再生パワーと設定し、
指標値が最小となる再生パワーより高いパワーで、且つ指標値の増加量がしきい値より大の場合の再生パワーを上限再生パワーとして設定し、
上限再生パワーおよび下限再生パワーの間に最適再生パワーを設定する。
【００１９】
この発明では、光ディスク上の同一のエリアを複数回トレースした後に指標値を測定することによって、指標値の変化の判別が容易となる。
【００２０】
この発明は、光ピックアップから出射されるレーザ光を光ディスクに照射し、光ディスクに記録されている信号を再生する光ディスク装置の再生パワー設定方法において、
レーザノイズの影響を受ける程度に低い再生パワーから開始して再生パワーを徐々に増加させ、
再生パワーで再生した場合の再生信号の品質を表す指標値を測定し、
再生パワーの増加に伴う指標値の変化量が予め設定したしきい値以上になるか否かを判定し、
指標値の変化量がしきい値より大の場合には、再生パワーをより増加させ、
指標値の変化量がしきい値より小の場合には、再生パワーの増加を中止し、指標値の変化量がしきい値より小となる再生パワーに基づいて、最適再生パワーを設定する再生パワー設定方法である。
【００２１】
この発明は、変化量がしきい値より小となる場合に、変化量を生じさせる二つの再生パワーの平均値に基づいて、最適再生パワーを設定する。
【００２２】
この発明では、指標値が光ディスクから再生されたＲＦ信号のジッタである。
【００２３】
この発明では、指標値が光ディスクから再生されたウォブル信号のジッタである。
【００２４】
この発明は、光ピックアップから出射されるレーザ光を光ディスクに照射し、光ディスクに記録されている信号を再生する光ディスク装置において、
光ピックアップの再生パワーを設定するための設定情報を記憶する不揮発性メモリと、
不揮発性メモリから読み出された設定情報に対応して光ピックアップの再生パワーを設定するパワー制御部と、
装着された光ディスクが単層光ディスクか、多層光ディスクかを判別するディスク判別部と、
ディスク判別部からの判別信号に応じて不揮発性メモリから装着された光ディスクに対応する再生パワーの設定情報を読み出し、読み出した設定情報をパワー制御部に与える制御部とを備え、
単層光ディスクの再生パワーを設定するための設定情報は、
レーザノイズの影響を受ける程度に低い再生パワーから開始して再生パワーを徐々に増加させ、
再生パワーで再生した場合の再生信号の品質を表す指標値を測定し、
再生パワーの増加に伴い指標値が減少から増加に転じ、且つ増加量が予め設定したしきい値以上になるか否かを判定し、
指標値の増加量がしきい値より小の場合には、再生パワーをより増加させ、
指標値の増加量がしきい値より大の場合には、再生パワーの増加を中止し、指標値が最小となる再生パワーを参照して、最適再生パワーを設定する再生パワー設定方法によって生成される光ディスク装置である。
【００２５】
この発明は、光ピックアップから出射されるレーザ光を光ディスクに照射し、光ディスクに記録されている信号を再生する光ディスク装置において、
光ピックアップの再生パワーを設定するための設定情報を記憶する不揮発性メモリと、
不揮発性メモリから読み出された設定情報に対応して光ピックアップの再生パワーを設定するパワー制御部と、
装着された光ディスクが単層光ディスクか、多層光ディスクかを判別するディスク判別部と、
ディスク判別部からの判別信号に応じて不揮発性メモリから装着された光ディスクに対応する再生パワーの設定情報を読み出し、読み出した設定情報をパワー制御部に与える制御部とを備え、
単層光ディスクの再生パワーを設定するための設定情報は、
レーザノイズの影響を受ける程度に低い再生パワーから開始して再生パワーを徐々に増加させ、
再生パワーで再生した場合の再生信号の品質を表す指標値を測定し、
再生パワーの増加に伴う指標値の変化量が予め設定したしきい値以上になるか否かを判定し、
指標値の変化量がしきい値より大の場合には、再生パワーをより増加させ、
指標値の変化量がしきい値より小の場合には、再生パワーの増加を中止し、指標値の変化量がしきい値より小となる再生パワーに基づいて、最適再生パワーを設定する再生パワー設定方法によって生成される光ディスク装置である。
【００２６】
この発明による光ディスク装置においては、光ピックアップにおいて、単層光ディスクおよび多層光ディスクの何れに対しても、出射レーザ光の光路中に光減衰素子が挿入されないか、または光減衰素子が挿入される。但し、光減衰素子を機械的に出し入れしないようになされる。
【発明の効果】
【００２７】
この発明は、再生パワーが低いことによりレーザノイズが増加することを回避でき、且つ再生パワーが高いことにより記録済の信号に対するダメージが与えられることを回避できる最適な再生パワーを設定できる。特に、単層光ディスクと２層以上の多層光ディスクとを共通の半導体レーザから出射されるレーザ光によって記録および再生する記録再生装置の場合に、多層光ディスクの記録パワーと単層光ディスクの再生パワーとの間の差が大きくなり、レーザの最大出射パワーに対して、再生パワーが非常に低いものとなる。多層光ディスクの記録パワーが大きいということは、結合効率を上げて最大出射パワーを高くしたいことを意味する。そうすると、単層光ディスクの再生パワーは、レーザ出射パワーの低い不安定な部分で使用することになり、レーザノイズの影響を受ける。それを回避するために、レーザ出射パワーを上げたいが、そうすると、ＲＦ信号にダメージを与えてしまうという問題が生じる。このように、多層光ディスクの記録パワーと単層光ディスクの再生パワーとの間の差が大きいということは、単層光ディスクの再生パワーは、レーザの出射パワーの低い不安定な部分（ＲＩＮノイズに影響を受ける）を使用することになる。若し、レーザの出射パワーが十分あるならば、結合効率を十分落として記録パワーも確保し、単層光ディスクの再生時のレーザ発光を十分安定している部分を使用できるならば問題がない。しかしながら、結合効率を下げると、多層光ディスクの記録時に必要とされるパワーを出力するための光ピックアップ内のレーザパワーが過大となり、発生することができなくなる問題が発生する。さらに、光減衰素子としてのＮＤフィルタを光路中に出し入れすることは、光ピックアップの小型化が阻害されることになり、好ましくない。
【発明を実施するための最良の形態】
【００２８】
この発明の特許請求の範囲と対応する事項について説明する。請求項１の発明は図６のフローチャートに示される処理である。ステップＳＴ１において、レーザノイズの影響を受ける程度に低い再生パワーＰｒ０が設定され、この再生パワーから開始して再生パワーを徐々に増加させ（ステップＳＴ５）、再生パワーで再生した場合の再生信号の品質を表す指標値（ジッタ値ＪＴ１，ＪＴ２，・・・）を測定し、再生パワーの増加に伴い指標値が減少から増加に転じ、且つ増加量が予め設定したしきい値以上になるか否かをステップＳＴ８，ＳＴ９にて判定し、指標値の増加量がしきい値より小の場合には、再生パワーをより増加させ、指標値の増加量がしきい値より大の場合には、再生パワーの増加を中止し、指標値が最小となる再生パワーＰｊmin を参照して、最適再生パワーを設定する再生パワー設定方法である。指標値が最小となる再生パワーＰｊmin より低く、最も近い再生パワーを下限再生パワーＰmin と設定し、指標値が最小となる再生パワーＰｊmin より高いパワーで、且つ指標値の増加量がしきい値より大の場合の再生パワーを上限再生パワーＰmax として設定し、上限再生パワーＰmax および下限再生パワーＰmin の間に最適再生パワーを設定する。請求項２の発明は、図８のフローチャートに示される処理である。再生パワーを徐々に増加させ、再生パワーで再生した場合の再生信号の品質を表す指標値を測定し、再生パワーの増加に伴う指標値の変化量が予め設定したしきい値ｍ以上になるか否かを判定し、指標値の変化量がしきい値ｍより大の場合には、再生パワーをより増加させ、指標値の変化量がしきい値より小の場合には、再生パワーの増加を中止し、指標値の変化量がしきい値ｍより小となる再生パワーＰｒｎおよびＰｒ(n-1) に基づいて、最適再生パワーを設定する再生パワー設定方法である。さらに、請求項８および請求項９に記載の光ディスク装置は、図１の構成における不揮発性メモリ８に最適再生パワーを設定するための設定情報を記憶し、例えばＡＰＣによって最適再生パワーを設定するものである。
【００２９】
以下、図面を参照してこの発明の一実施の形態について説明する。図１は、この発明を適用することができる光ディスク記録再生装置を概略的に示す。光ディスク１に対して光ピックアップ２によって、情報信号の記録がなされ、また、光ディスク１から光ピックアップ２によって情報信号が再生される。光ディスク１は、ブルーレイディスク、ＤＶＤ−ＲＷ、ＤＶＤ−Ｒ等の記録可能な光ディスクである。光ディスク１がスピンドルモータ５によって所定の回転速度で回転される。
【００３０】
光ピックアップ２は、記録再生のためのレーザ光源と、このレーザ光源から出射されたレーザ光を対物レンズを介して光ディスク１の記録面に集光させ、この光ディスク１からの反射光を取り込む光学系と、この光学系によって取り込んだ反射光を検出する光検出器とから構成されている。
【００３１】
また、光ピックアップ２内には、電磁アクチュエータで実現されるレーザ光位置調整機構が搭載されており、アクチュエータによって対物レンズがフォーカス方向とトラッキング方向に移動制御される。
【００３２】
光ピックアップ２が光ディスク１に対してレーザ光を照射して光ディスク１からの戻り光情報を光検出器によって電気信号に変換し、光ピックアップの出力電気信号がアナログフロントエンド３に供給される。アナログフロントエンド３からフォーカスエラー信号ＦＥ、トラッキングエラー信号ＴＥ、ＲＦ信号ＲＦおよびウォブル信号が出力される。これらの信号が信号処理部４に対して供給される。
【００３３】
信号処理部４は、例えばＤＳＰ(Digital Signal Processor)を備えており、記録信号処理部、再生信号処理部、サーボ等の制御部等が含まれている。インターフェース６を介して記録データが信号処理部４に供給される。光ディスク１からの再生ＲＦ信号に基づいて得られた再生データがインターフェース７を介して出力される。
【００３４】
信号処理部４に関連して不揮発性メモリ８が設けられている。不揮発性メモリ８には、光ディスク装置の動作に必要な種々の情報が記憶されている。この発明に関連する記憶情報としては、記録時に光ピックアップ２から出射される記録パワーの設定のための記録パワー設定情報と、再生時に光ピックアップ２から出射される再生パワーの設定のための再生パワー設定情報とがある。
【００３５】
単層光ディスクの再生パワーの設定情報は、後述するように求められ、不揮発性メモリ８に格納される。さらに、２層光ディスクに関する再生パワーを制御するためのＡＰＣの目標値も不揮発性メモリ８に記憶される。２層光ディスクに関する再生パワーは、比較的大きく、単層光ディスクの再生パワーのように、レーザノイズの影響が生じないので、設計的に予め求められて所定の値が制御のための情報として使用される。
【００３６】
これらのパワーの設定は、例えばＡＰＣ部９によって制御される。ＡＰＣ部９は、光ピックアップ２内の光検出器の出力から半導体レーザの出射パワーを検出し、この出射パワーが不揮発性メモリ８から読み出された設定情報に基づいて制御される。光ディスク１が単層光ディスクの場合と、多層例えば２層光ディスクの場合とでは、パワーが相違するので、光ディスクの種類を判別するためのディスク判別器１０がアナログフロントエンド３に関連して設けられている。ディスク判別器１０の判別出力が信号処理部４内の制御部に供給され、制御部が光ディスクの種類と記録モードまたは再生モードに対応して適切な設定情報をＡＰＣ部９に供給する。ディスク判別器１０は、例えば光ディスクの反射率の相違に基づいて光ディスクの種類を判別する。他に、光ピックアップを光ディスクに対して徐々に接近させた時に、フォーカスエラー信号のＳ字カーブが２回発生する場合に、当該光ディスクを２層光ディスクと判別する。
【００３７】
信号処理部４内のサーボ制御部は、受け取ったフォーカスエラー信号ＦＥからフォーカスを制御するためのフォーカスドライブ信号を生成し、また、受け取ったトラッキングエラー信号ＴＥからトラッキングを制御するためのトラッキングドライブ信号を生成する。さらに、信号処理部４内のサーボ制御部は、光ピックアップ２を目標位置に移動させるためのスレッドモータを駆動するスレッドドライブ信号を生成する。これらのフォーカスドライブ信号、トラッキングドライブ信号およびスレッドドライブ信号が信号処理部４から光ピックアップ２に対して供給され、光ディスク１上の所望の位置にレーザビームが照射される。
【００３８】
光ピックアップ２の構成の一例を図２を参照して説明する。図示の光ピックアップ２の構成は、ブルーレイディスクに対して適用されるものである。参照符号１１で示す半導体レーザからのレーザビームが光学減衰素子例えばＮＤフィルタ１２を介してプリズム１３に対して入力される。ＮＤフィルタ１２は、半導体レーザの出射パワーを大としてレーザノイズＲＩＮを低減するために設けられている。ＮＤフィルタ１２を必ずしも設けないでも良い。プリズム１３を透過した一部のレーザビームがディテクタ１４に照射される。ディテクタ１４は、レーザパワーの出射量を測定し、測定結果に基づいてレーザパワーを所定のものに制御するＡＰＣのためのものであり、検出出力がＡＰＣ部９に供給される。
【００３９】
プリズム１３で反射されたレーザビームが偏光ビームスプリッタ１５と、コリメータレンズ１６と、１／４波長板１７と対物レンズ２０を介して光ディスク１上の照射される。コリメータレンズ１６が球面収差補正のための光軸方向に変位可能に設けられている。対物レンズ２０は、アクチュエータ２１によって、フォーカス方向およびトラッキング方向に変位可能とされ、信号処理部４からのフォーカスドライブ信号およびトラッキングドライブ信号によってアクチュエータ２１が駆動される。
【００４０】
光ディスク１からの戻りレーザビームが対物レンズ２０、１／４波長板１７、コリメータレンズ１６を介して偏光ビームスプリッタ１５に入射される。偏光ビームスプリッタ１５によって戻りレーザビームが反射され、集光レンズ１８を介してディテクタ１９に供給される。
【００４１】
ディテクタ１９は、例えば４分割ディテクタの構成とされ、ディテクタ１９の各分割ディテクタの出力信号を演算することによって、フォーカスエラー信号ＦＥ、トラッキングエラー信号ＴＥ、ＲＦ信号ＲＦが得られる。
【００４２】
上述したＮＤフィルタ１２が無い状態とすると、効率が高くなり、低いレーザ出射パワーでも対物レンズ２０からの出射パワーが高くなる。このことは、同じ半導体レーザを使用しても高出力が可能となり、多層光ディスクに対する記録時に高パワーが必要となる場合に有利である。しかしながら、再生レーザビームを出射する場合には、半導体レーザ１１の出射パワーが低く、レーザノイズＲＩＮの影響を受けやすい問題が生じる。
【００４３】
具体的な例について述べると、ＢＤ−ＲＥ（ブルーレイディスク  リライタブル）の単層光ディスクでは、再生パワーが通常０．３〜０．３５ｍＷ程度である。単層光ディスクの再生パワーがかなり低いので、安定にレーザが発振できず、レーザノイズが多くなる。
【００４４】
そこで、再生パワーを高くすると、今度は記録済ＲＦ信号が消去されてしまう問題が生じる。ブルーレイディスクの場合では、１−７ＰＰ(Parity preserve/Prohibit Repeated Minimum Transition Length) 方式で変調されたＲＦ信号が光ディスク１上に記録されている。この１−７ＰＰ変調方式では、反転間隔の最小値が２Ｔであり、最大値が８Ｔである。上述したように、ＲＦ信号が消去されるとは、この最小反転間隔（２Ｔ）の信号が影響を受けて、再生できなるなることである。
【００４５】
本出願の発明者の実験によると、０．６ｍＷ程度のパワーが２Ｔ信号に対して影響することが確かめられた。したがって、単層光ディスクに関する再生パワーを高くすることに限界がある。すなわち、レーザノイズに対しては、半導体レーザのパワーを高くしたいが、記録済ＲＦ信号に対しては、再生パワーを低くしたいと相反する要請が存在する。
【００４６】
対物レンズ２０から出射される再生パワーを低くしても、レーザノイズを増加させない方法の一つとして、結合効率を下げて光ピックアップ内のレーザパワーを高くする方法がある。しかしながら、結合効率を下げると、２層光ディスクの記録時に必要とされるパワーを出力するための光ピックアップ内のレーザパワーが過大となり、発生することができなくなる問題が発生する。
【００４７】
記録時には、ＮＤフィルタのような光減衰素子を通らず、再生時には、光減衰素子を通す切り換え構成は、一つの解決方法であるが、光減衰素子を光路中に挿入、離脱させるための機構が必要となり、光ピックアップの小型化が妨げられる問題が生じる。
【００４８】
この発明は、光減衰素子の光路中に選択的に挿入する機構を設けずに、レーザノイズの影響を軽減し、且つ記録済の信号に悪影響を与えないように、最適な再生パワーを設定するものである。
【００４９】
再生パワーに対するＲＦジッタの特性の一例を図３に示す。ＲＦジッタとは、光ディスクのトラックから再生されたＲＦ信号の時間軸方向の信号のズレ、信号の揺らぎの量を意味し、タイムジッタとも称される。但し、この発明は、ＲＦジッタ以外にビットエラーレート等のドライブの再生性能を評価するのに使用される値（指標値と称する）を使用しても良い。通常、ジッタが多いとノイズが増大したり、再生信号のエラーレートが悪化する。横軸が再生パワー（ｍＷ）の変化であり、縦軸がＲＦジッタ（％）である。
【００５０】
図３に示すように、再生パワーが０．３（ｍＷ）より少なくなるにしたがって、ジッタが増加する。これは、レーザノイズＲＩＮあるいは信号のＳ／Ｎの影響によるのである。また、再生パワーが０．６（ｍＷ）を超えると、ジッタが増加する。これが再生パワーの増大によって、記録済の信号が再生レーザビームにより損傷を受けるためである。
【００５１】
図５は、ジッタ測定のための構成の一例である。この構成は、光ディスク装置（例えば図１の構成）において、信号処理部４に設けられている。光ディスクからの再生ＲＦ信号３１がＡ／Ｄコンバータ３２に供給されてディジタル信号へ変換される。Ａ／Ｄコンバータ３２の出力信号がプリイコライザ３３を介して適応イコライザ３４に供給される。プリイコライザ３３は、最短（２Ｔ）のマーク長の振幅を持ち上げるためのものである。適応イコライザ３４は、プリイコライザ３３によって生じる歪みを補正するイコライザである。
【００５２】
適応イコライザ３４の出力信号がビタビデコーダ３５に供給され、ビタビデコーダ３５から再生ビット系列が得られる。再生ビット系列が復調器３６にて１−７ＰＰ変調の復調がなされ、再生データ３７が後段の回路例えばフォーマット分解回路に供給される。ビタビデコーダ３５から分離された再生ビット系列がジッタ測定部３８に供給され、ジッタ測定部３８から測定されたジッタが得られる。
【００５３】
ジッタを測定する方法としては、いくつかの方法が知られている。例えば光ピックアップからの再生ＲＦ信号をプリイコライザ３３（２Ｔ部分の振幅増加特性を有する）を通した信号の基準クロックに対する時間的な揺らぎ量を求める方法である。他の方法は、光ピックアップからの再生ＲＦ信号をプリイコライザ３３と適応イコライザ３４を通した信号の基準クロックに対する時間的な揺らぎ量を求める方法である。
【００５４】
さらに、ＰＲＭＬ(Partial Response Maximum Likelihood) 再生系の内部状態から求めた値を指標値として使用する方法を使用しても良い。例えば再生波形と理想波形（ノイズが無い場合の再生波形）とを比較することによって指標値を求め、求まった指標値をジッタとして扱う方法を使用しても良い。具体的には、パスメトリックの差分ＳＡＭ(Sequence Amplitude Margin) を指標値として使用することができる。さらに、ＭＬＳＥ(MaximumLikelihood Sequence Error)を指標値として使用しても良い。
【００５５】
最適な再生パワーを求めるための処理の流れを図６のフローチャートに示す。このフローチャートに表す処理は、信号処理部４（図１参照）に備えられているマイクロプロセッサの制御によって行われる。図６のフローチャートに示す処理は、光ディスクに記録済の信号に対してダメージを与えるものであるため、光ディスク記録再生装置の工場出荷時においてなされる。
【００５６】
ステップＳＴ１は、初期設定処理のステップである。再生パワーが基準再生パワーＲｒに設定される。最適再生パワーを求めるための最適再生パワー係数Ｋが設定され、また、ジッタの悪化の程度に関するジッタ閾値Ｊｓが設定される。最適再生パワー係数Ｋは、０〜１の値に設定され、ジッタ閾値Ｊｓが＋の値に設定される。また、ここで、基準再生パワーＲｒは、十分低いパワーであり、レーザノイズの影響を受ける程度のパワーとする。
【００５７】
ステップＳＴ２において、ドライブ調整がなされる。ドライブ調整は、サーボ調整、ＲＦ信号の振幅調整等の再生を行うための調整である。
【００５８】
ステップＳＴ３において、上述したような方法を使用して再生パワーＰｒ０＝Ｒｒにおけるジッタ値ＪＴ０が測定される。再生パワーとジッタ値との関係（Ｐｒ０：ＪＴ０）が装置のＲＡＭ等のメモリに保存される。
【００５９】
ステップＳＴ４において、ステップＳＴ３において求められたジッタ値ＪＴ０が最小ジッタ値ＪＴmin にセットされ、再生パワーＰｒ０が下限再生パワーＰmin にセットされる。また、変数としてのカウント値ｎが１にセットされる。
【００６０】
ステップＳＴ５において、カウント値ｎが＋１されると共に、再生パワーが＋Ａ（ｍＷ）される。すなわち、再生パワーがＰｒｎ＝Ｐｒ（ｎ−１）＋Ａとされる。カウント値ｎが＋１される毎に再生パワー（レーザの出射パワー）がＡ（ｍＷ）上昇される。ここで、変化幅Ａ（ｍＷ）は、０．０２〜０．１（ｍＷ）のように、再生パワーの変化に伴うジッタ値の変化が十分判別できるものに設定される。
【００６１】
ステップＳＴ６において、再生パワーが高くされたのに応答して、サーボ調整、ＲＦ振幅調整がなされる。ステップＳＴ２において調整されたものを基準として、（Ｐｒ０／Ｐｒｎ）倍のゲインを設定して、アナログフロントエンド３においてサーボ信号、ＲＦ信号の振幅が最適とされる。但し、アナログフロントエンド３または信号処理部４にＡＧＣが備えられているシステムの場合では、ステップＳＴ６の調整工程を設けないくても良い。
【００６２】
ステップＳＴ７において、再生パワーＰｒ１におけるジッタ値ＪＴ１が測定される。再生パワーとジッタ値との関係（Ｐｒ１：ＪＴ１）が装置のＲＡＭ等のメモリに保存される。
【００６３】
ステップＳＴ８において、ステップＳＴ７において再生パワーを＋Ａした時に測定されるジッタ値ＪＴｎが以前に求められているジッタ値ＪＴmin より小さいか否かが判定される。（ＪＴmin ＞ＪＴｎ）の関係がある場合には、ステップＳＴ９において、ＪＴmin およびＰjminが更新される。すなわち、ジッタ値ＪＴｎが新たな最小ジッタ値ＪＴmin とされ、再生パワーＰｒｎが新たなジッタ値が最小となる再生パワーＰjminとされる。
【００６４】
そして、ステップＳＴ９において、ジッタ値がそれまでの最小ジッタ値ＪＴmin 以上となったと判定されると、ステップＳＴ１０において、ジッタの増加量が閾値Ｊｓ以上か否かが判定される。ステップＳＴ１０において、（ＪＴｎ≧ＪＴmin ＋Ｊｓ）か否かが判定される。ジッタ値ＪＴｎがＪＴmin にジッタ閾値Ｊｓを加えたものより小さいと判定されると、ステップＳＴ１１に処理が移り、ｎが＋１される。そして、ステップＳＴ５（再生パワーを＋Ａする）に処理が戻り、上述したのと同様に、ステップＳＴ６（サーボゲイン調整およびＲＦ信号調整）、ステップＳＴ７（ジッタ測定）、ステップＳＴ８（判定）、ステップＳＴ９（ＪＴmin およびＰjminの更新）、ステップＳＴ１０（判定）の処理がなされる。
【００６５】
ステップＳＴ１０において、ジッタ値ＪＴｎがＪＴmin に対する差分がジッタ閾値Ｊｓ以上であると判定されると、ステップＳＴ１２において、そのジッタ値ＪＴｎに対応する再生パワーＰｒｎが上限再生パワーＰmax とされる。
【００６６】
ステップＳＴ１３において、Ｐmax およびＰmin が検出される。ジッタ値が最小となる再生パワーＰjminよりも高いパワーでジッタ閾値Ｊｓを超えたパワーは、ステップＳＴ１３において求められた上限再生パワーＰmax となる。ジッタ値が最小となる再生パワーＰjminよりも低いパワーでジッタ閾値Ｊｓを超えたパワーは、（Ｐｒ０：ＪＴ０、Ｐｒ１：ＪＴ１、・・・、Ｐｒｎ：ＪＴｎ）の関係から求め、下限再生パワーＰmin とする。この場合、ジッタ閾値を超えた中でＰjminに最も近いパワーがＰmin とされる。
【００６７】
ステップＳＴ１４において、最適再生パワーを下式により求める。
Ｐmin ＋（Ｐmax −Ｐmin ）×Ｋ
ここで、Ｋは、最適パワー係数（０〜１）である。Ｋ＝０であれば、Ｐmin が最適再生パワーとなり、Ｋ＝１であれば、Ｐmax が最適再生パワーとなる。
【００６８】
最適パワー係数Ｋの値は、レーザノイズＲＩＮに対するマージン（Ｐmin 側）と、ＲＦ信号に対するダメージが与えられないようにするためのマージン（Ｐmax 側）を考慮して設定される必要がある。すなわち、記録済のＲＦ信号にダメージが与えられるのは、大きな問題であるので、Ｋの値は、０．５以下とすることが望ましい。記録済のＲＦ信号にダメージを加えるまで、再生パワーを上げるため、十分低いパワーから高いパワーに変えていくのに注意する必要がある。
【００６９】
上述したように設定された最適再生パワーの情報が装置の信号処理部に関連して設けられている不揮発性メモリに記憶される。実際には、再生パワーは、ＡＰＣによって制御されるので、不揮発性メモリに記憶されるのは、ＡＰＣの目標値のレーザパワーとなる。記録再生装置が単層光ディスクを再生する場合の再生パワーが不揮発性メモリに記憶されているＡＰＣの目標値に対応して最適再生パワーに制御される。さらに、２層光ディスクに関する再生パワーを制御するためのＡＰＣの目標値も不揮発性メモリに記憶される。２層光ディスクに関する再生パワーは、比較的大きく、単層光ディスクの再生パワーのように、レーザノイズの影響が生じないので、設計的に予め求められて所定の値が制御のための情報として使用される。
【００７０】
不揮発性メモリに対して単層光ディスクの再生パワーを設定するための情報と多層例えば２層光ディスクの再生パワーを設定するための情報とが格納されている。したがって、光ディスク装置は、装着された光ディスクが何れの光ディスクであるかを判別し、判別結果に対応する情報を不揮発性メモリから読み出して制御に使用する。例えば光ディスクの反射率の相違に基づいて光ディスクの種類を判別できる。他に、光ピックアップを光ディスクに対して徐々に接近させた時に、フォーカスエラー信号のＳ字カーブが２回発生する場合に２層光ディスクと判別する方法を使用しても良い。
【００７１】
上述した図６のフローチャートに示される処理についてより具体的に説明する。横軸を再生パワーとし、縦軸をジッタとする変化の一例を図７に示す。図７は、この発明の理解の容易のための模式的な変化を示す。再生パワーＰｒ０を基準再生パワーＲｒに設定した場合のジッタ値がＪＴ０である。再生パワーが＋ＡのステップでＰｒ１（ｎ＝１），Ｐｒ２（ｎ＝２），Ｐｒ３（ｎ＝３），・・・と順次増加される。
【００７２】
再生パワーがＰｒ３（ｎ＝３）までは、ジッタ値がＪＴ１，ＪＴ２，ＪＴ３と減少するので、ステップＳＴ８，ステップＳＴ９，ステップＳＴ１０，ステップＳＴ１１の処理が行われる。そして、ステップＳＴ１１において、（ｎ＝４）とされると、ステップＳＴ８では、（ＪＴmin ＝ＪＴ３＞ＪＴ４）の関係が成立せず、ＪＴmin およびＰjminが更新されない。但し、ステップＳＴ１０の判定において、ＪＴ３とＪＴ４のジッタ値の差分がジッタ閾値Ｊｓより小と判定され、ステップＳＴ１１において、ｎ＝５とされる。
【００７３】
ジッタ値ＪＴ５は、保存されているＪＴmin より大きく、且つＪＴmin に対する差分がジッタ閾値Ｊｓ以上であるので、ステップＳＴ１０からステップＳＴ１２に処理が移る。ステップＳＴ１２において、再生パワーＰｒ５がＰmax とされる。
【００７４】
ステップＳＴ１３において、ジッタ値が最小となるパワーＰjmin（この例ではＰｒ３）よりも低いパワーで、ジッタ値が（ＪＴmin ＋ジッタ閾値Ｊｓ）を超えたパワー値で最もＰjminに近いパワーＰｒ２が下限再生パワーＰmin とされる。ここで、ジッタ閾値Ｊｓは、（ＪＴ４−ＪＴ３（ＪＴmin ）＜Ｊｓ≦ＪＴ２−ＪＴ３（ＪＴmin ）ということになる。そして、ステップＳＴ１４において、
Ｐｒ２＋（Ｐｒ５−Ｐｒ２）×Ｋ
の演算によって求められた再生パワーが最適再生パワーとして設定される。
【００７５】
図７の具体例からも分かるように、再生パワーがＰjmin（この例ではＰｒ３）の場合に、ジッタ値ＪＴ３が最小ジッタ値ＪＴmin となる。この下限（ボトム）の再生パワーは、再生パワーを増加させてレーザノイズＲＩＮが徐々に減少して最小値となった再生パワーである。さらに、再生パワーが大きくなると、記録済のＲＦ信号がダメージを受けてＲＦジッタが増加する。したがって、ジッタ値が最小となる再生パワーが最適な値であるが、実際には、ある程度の変動が存在するので、マージンを考えた場合に最適とは言えないので、Ｐjminより低いパワーで、ジッタ値が（ＪＴmin ＋Ｊｓ）を越えたパワー値で最もＰjminに近いパワーＰmin （＝Ｐｒ２）に基づいて最適再生パワーを設定することによって、レーザノイズの影響が少なく且つＲＦ信号にダメージが与えられない再生パワーを設定できる。
【００７６】
図４に示すように、再生パワーとＲＦジッタの関係は、１回でジッタを測定した時と、光ディスクの測定用信号が記録されているエリアを１０回トレースした後にジッタを測定した時とで異なったものとなる。１０回トレースした後では、再生パワーが大きい領域において、ＲＦ信号のダメージが大きいために、ジッタがより大きなものとなる。したがって、上述したこの発明の一実施の形態において、ジッタ測定を行う場合に、複数回のトレースを繰り返した後の再生ＲＦ信号を使用することによって、再生パワーによるＲＦ信号の消去の程度をより明確に測定できる。
【００７７】
上述したこの発明の一実施の形態では、ＲＦ信号を記録した単層光ディスクを再生し、ＲＦジッタを測定して最適な再生パワーを求めている。一実施の形態は、記録済のＲＦ信号に対してダメージを与えてしまうために、ディスク上の再生領域が一回のジッタの測定毎に切り替えられる。光ディスクの全領域を使用してしまった場合には、光ディスクを交換するか、再度ＲＦ信号を記録しなおす必要がある。
【００７８】
以下に説明するこの発明の第２の実施の形態は、記録済ＲＦ信号に対してダメージを与えないようにしたものである。
【００７９】
図８のフローチャートに示すように、第２の実施の形態では、光ディスク記録再生装置の製造出荷時において、ＲＦ信号が記録されている光ディスクにおいて、十分低い再生パワーからパワーを徐々に増加させた時のＲＦジッタ変化率を用いて最適再生パワーが求められる。この変化率が予め設定しているジッタ変化率閾値より小となったことを検出して最適再生パワーを求めるものである。したがって、第２の実施の形態では、ＲＦ信号がダメージを受けるまで、再生パワーを増大させる必要がない。
【００８０】
ステップＳＴ２１の初期設定処理において、再生パワーが基準再生パワーＲｒに設定される。最適再生パワーを求めるための最適再生パワー係数Ｄが設定され、また、ジッタ変化率閾値ｍが設定される。最適再生パワー係数Ｄは、レーザノイズに対するマージンをかせぐための係数である。ジッタ変化率閾値ｍは、例えば０．２〜０．５％程度に選ばれる。また、ここで、基準再生パワーＲｒは、十分低いパワーであり、レーザノイズの影響を受ける程度のパワーとする。
【００８１】
ステップＳＴ２２において、ドライブ調整がなされる。ドライブ調整は、サーボ調整、ＲＦ信号の振幅調整等の再生を行うための調整である。
【００８２】
ステップＳＴ２３において、上述したような方法を使用して再生パワーＰｒ０＝Ｒｒにおけるジッタ値ＪＴ０が測定される。再生パワーとジッタ値との関係（Ｐｒ０：ＪＴ０）が装置のＲＡＭ等のメモリに保存される。
【００８３】
ステップＳＴ２４において、変数としてのカウント値ｎが１にセットされる。
【００８４】
ステップＳＴ２５において、カウント値ｎが＋１されると共に、再生パワーが＋Ａ（ｍＷ）される。すなわち、再生パワーがＰｒｎ＝Ｐｒ（ｎ−１）＋Ａとされる。カウント値ｎが＋１される毎に再生パワーがＡ（ｍＷ）上昇される。ここで、変化幅Ａ（ｍＷ）は、０．０２〜０．１（ｍＷ）のように、再生パワーの変化に伴うジッタ値の変化が十分識別できるものに設定される。
【００８５】
再生パワーが高くされたので、サーボのゲイン、ＲＦ信号の振幅などが変化する。このため、ステップＳＴ２６において、サーボ調整、ＲＦ振幅調整がなされる。ステップＳＴ２２において調整されたものを基準として、（Ｐｒ０／Ｐｒｎ）倍のゲインを設定して、アナログフロントエンド３においてサーボ信号、ＲＦ信号の振幅が最適とされる。但し、アナログフロントエンド３または信号処理部４にＡＧＣが備えられているシステムの場合では、ステップＳＴ２６の調整工程を設けないくても良い。
【００８６】
ステップＳＴ２７において、再生パワーＰｒ１におけるジッタ値ＪＴ１が測定される。再生パワーとジッタ値との関係（Ｐｒ１：ＪＴ１）が装置のＲＡＭ等のメモリに保存される。
【００８７】
ステップＳＴ２８において、再生パワーを＋Ａする前のジッタ値ＪＴn-1 とステップＳＴ２７で測定されたジッタ値ＪＴｎとが比較される。すなわち、（｜ＪＴn-1 −ＪＴｎ｜≦ｍ）の処理がなされ、ジッタ値の変化量の絶対値が変化率閾値ｍ以下か否かが調べられる。（ＪＴｎ−ＪＴn-1 ）を演算しても良い。ジッタ値の変化量の絶対値が変化率閾値ｍより大きいことは、再生パワーの増加によるノイズの減少の割合が大きく、レーザノイズの影響が大きいことを意味する。この場合には、カウント値がステップＳＴ２９において＋１され、ステップＳＴ２５で再生パワーが＋Ａされ、以下、ステップＳＴ２６、ステップＳＴ２７およびステップＳＴ２８の処理を繰り返す。
【００８８】
そして、ジッタ値の変化量の絶対値が変化率閾値ｍ以下となるまで、再生パワーをＡづつ高くする。ステップＳＴ２８において、ジッタ値の変化量が変化率閾値ｍ以下であると判定されると、ステップＳＴ３０にて下式によって最適再生パワーが求められる。最適再生パワー係数Ｄは、例えば１．５とされる。
【００８９】
（Ｐｒｎ＋Ｐｒ(n-1) ）／２×Ｄ
【００９０】
または、下記の式で最適再生パワーを計算するようにしても良い。
【００９１】
Ｐｒｎ×Ｄ
【００９２】
上述したように設定された最適再生パワーに対応する制御情報（例えばＡＰＣの目標値の情報）が装置の信号処理部に関連して設けられている不揮発性メモリに記憶される。そして、記録再生装置が単層光ディスクを再生する場合の再生パワーが不揮発性メモリに記憶されている制御情報に基づいて最適再生パワーに設定される。
【００９３】
上述したこの発明の一実施の形態および他の実施の形態においては、所定のＲＦ信号が記録されている光ディスクを用意し、この光ディスクを再生して再生パワーが調整される。他の実施の形態は、記録されているＲＦ信号に対してダメージを与えないで最適再生パワーに調整することができるので、市場への出荷後において、ＲＦ信号の記録された光ディスクを使用して調整が可能である。さらに、光ディスクの所定の領域例えば最内周領域に設けられたＯＰＣ(Optimum Power Control) エリアにテスト的に所定の信号を記録することによって、上述したこの発明の一実施の形態および他の実施の形態による再生パワーの調整を行うようにしても良い。
【００９４】
上述した説明では、ＲＦ信号のジッタに基づいて最適再生パワーが設定されているが、光ディスクからのウォブル信号に基づいて再生パワーを調整するようにしても良い。書き込み可能な光ディスクの場合では、ブランクディスクの場合でも、ディスク上の位置（アドレス）を規定するために、らせん状の連続したグルーブ（溝）が予め形成され、グルーブをウォブルさせることによって、アドレスを記録するようにしている。
【００９５】
図９に示すように、ウォブリンググルーブ５１をレーザビームのスポット５２が読み取る時に、トラック方向に一致した線で分割された２分割ディテクタの各ディテクタ５３ａおよび５３ｂの受光信号の差分がウォブル信号として得られる。ウォブル信号ジッタも、ＲＦ信号のジッタと同様にレーザノイズによって悪化するので、上述したこの発明の一実施の形態および他の実施の形態と同様の方法によってウォブル信号に基づいて最適再生パワーを求めることができる。
【００９６】
以上、この発明の複数の実施形態について説明したが、この発明は、上述した実施の形態等に限定されるものではなく、この発明の要旨を逸脱しない範囲内で様々な変形や応用が可能である。
【図面の簡単な説明】
【００９７】
【図１】この発明を適用できる光ディスク装置のサーボ制御系のブロック図である。
【図２】この発明を適用できる光ディスク装置において使用される光ピックアップの一例の構成を示す略線図である。
【図３】再生パワーとＲＦジッタの関係の測定結果の一例を示すグラフである。
【図４】再生パワーとＲＦジッタの関係の測定結果の一例を示すグラフである。
【図５】ＲＦジッタを測定する構成の一例を示すブロック図である。
【図６】この発明の一実施の形態の処理の流れを示すフローチャートである。
【図７】この発明の一実施の形態の処理の流れを具体的に説明するために使用するグラフである。
【図８】この発明の他の実施の形態の処理の流れを示すフローチャートである。
【図９】ウォブルグルーブの説明に使用する略線図である。
【図１０】この発明を適用できる２層光ディスクの説明に使用する略線図である。
【符号の説明】
【００９８】
１  光ディスク
２  光ピックアップ
３  アナログフロントエンド
４  信号処理部
【図１】
2009140580.tif 000003
【図２】
2009140580.tif 000004
【図３】
2009140580.tif 000005
【図４】
2009140580.tif 000006
【図５】
2009140580.tif 000007
【図６】
2009140580.tif 000008
【図７】
2009140580.tif 000009
【図８】
2009140580.tif 000010
【図９】
2009140580.tif 000011
【図１０】
2009140580.tif 000012